(57)【特許請求の範囲】
【請求項１】
ガイド部と搬送ローラとを有し、前記ガイド部は、湾曲路と、前記湾曲路の上端部に接続する上経路と、前記湾曲路の下端部に接続する下経路と、を含む搬送経路を規定し、前記搬送ローラは、前記下端部に配置される搬送部であって、前記上経路、前記湾曲路、前記下経路の順番となる搬送方向で、シートを前記搬送経路に沿って搬送する前記搬送部と、
前記下経路において前記搬送ローラよりも前記搬送方向の下流に配置され、前記下経路を搬送されるシートの一面の画像を読み取る第１読取部と、
前記下経路において前記第１読取部よりも前記搬送方向の下流に配置され、前記下経路を搬送されるシートの他面の画像を読み取る第２読取部と、を備え、
前記第１読取部は、前記下経路に対向しつつ主走査方向に延びる第１読取面と、前記第１読取面に交差する方向に延設され、かつ前記第１読取面を間に位置させて互いに対向し、前記主走査方向に沿ってそれぞれ延びる第１側面及び第２側面と、を含み、
前記第２側面は、前記搬送方向において前記第１側面よりも前記搬送ローラから遠い位置にあり、
前記第２側面には、前記第１読取部を前記ガイド部に対して位置決めする第１位置決め機構が設けられていることを特徴とする画像読取装置。
【請求項２】
前記ガイド部は、前記第１読取面に対向しつつ、前記下経路の一部を規定するプラテンガラスを含み、
前記第１位置決め機構は、前記プラテンガラスに直交する方向から見て、前記プラテンガラスと重なる位置にある請求項１記載の画像読取装置。
【請求項３】
前記第１位置決め機構は、前記第２側面における前記主走査方向の一端部から前記下経路における前記搬送方向の下流に向かって突出する第１凸部と、
前記第２側面における前記主走査方向の他端部から前記下経路における前記搬送方向の下流に向かって突出する第２凸部と、
前記第１凸部から略円柱状に突出し、前記主走査方向と平行な位置決め軸心を中心として、前記ガイド部に嵌合可能な第１軸部と、
前記第２凸部から略円柱状に突出し、前記位置決め軸心を中心として前記ガイド部に嵌合可能な第２軸部と、を含んでいる請求項１又は２記載の画像読取装置。
【請求項４】
前記第１読取部は、前記上経路と前記下経路との間に配置され、
前記第２読取部は、前記下経路に対して下方に配置されている請求項１乃至３のいずれか１項記載の画像読取装置。
【請求項５】
シートを静止状態で支持可能な支持面と、前記支持面に対して下方に配置され、前記主走査方向に直交する副走査方向に移動可能なキャリッジと、を有する本体部と、
前記支持面を閉鎖する閉鎖位置と、前記支持面を開放する開放位置との間で変位可能に前記本体部に支持された開閉部と、を備え、
前記搬送部及び前記第１読取部は、前記開閉部に設けられ、
前記第２読取部は、前記本体部に設けられ、前記キャリッジに搭載されて前記支持面に支持されているシートの画像を移動しながら読み取るように構成され、
前記第２読取部は、前記下経路に対向しつつ前記主走査方向に延びる第２読取面と、前記第２読取面に交差する方向に延設され、かつ前記第２読取面を間に位置させて互いに対向し、前記主走査方向に沿ってそれぞれ延びる第３側面及び第４側面と、を含み、
前記第４側面には、前記第２読取部を前記キャリッジに対して位置決めする第２位置決め機構が設けられ、
前記第１読取部と前記第２読取部とは、前記第１側面と前記第３側面とが対応し、前記第２側面と前記第４側面とが対応し、前記第１位置決め機構と前記第２位置決め機構とが対応する同一形状である請求項４記載の画像読取装置。
【請求項６】
前記下経路は、前記搬送ローラから前記第２読取部の直前までの間を搬送されるシートを下り傾斜する方向に案内する第１傾斜部を含み、
前記第１読取部は、前記第２読取部に対して傾斜した状態で、前記第１読取面が前記第１傾斜部に対向するように配置されている請求項１乃至５のいずれか１項記載の画像読取装置。
【請求項７】
前記第１読取部は、前記上経路と前記下経路との間に配置され、
前記第２読取部は、前記下経路に対して下方に配置され、
前記ガイド部は、前記第１読取面に対向しつつ、前記第１傾斜部の一部を規定するプラテンガラスを含み、
前記搬送部は、前記プラテンガラスを介して前記第１読取部に対向する位置に配置されるシート押さえをさらに有し、
前記シート押さえは、前記プラテンガラスに直交する方向から見て、前記第１位置決め機構と重ならない位置にある請求項６記載の画像読取装置。
【請求項８】
前記下経路は、前記第２読取部から前記搬送方向の下流に向けて搬送されるシートを上り傾斜する方向に案内する第２傾斜部を含んでいる請求項６又は７記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、本体部と、本体部に開閉可能に支持されたカバー部とを備えている。カバー部には、自動原稿搬送装置（以下、「ＡＤＦ」という。）及び密着型イメージセンサ（以下、「ＡＤＦ側ＣＩＳ」という。）が設けられている。本体部には、別の密着型イメージセンサ（以下、「本体部側ＣＩＳ」という。）が設けられている。本体部側ＣＩＳは、本体部の上面に配置されたプラテンガラスに下方から対向して配置され、プラテンガラスに沿って往復移動可能とされている。
【０００３】
ＡＤＦは、本体フレーム、アッパーガイド、アンダーガイド及び上部カバーによって搬送経路を規定している。搬送経路は、湾曲路と、湾曲路の上端部に接続する上経路と、湾曲路の下端部に接続する下経路と、を含んでいる。ＡＤＦは、上経路、湾曲路、及び下経路の順番となる搬送方向で、シートを搬送経路に沿って搬送する。
【０００４】
ＡＤＦ側ＣＩＳは、上経路に対して下方に配置され、読取面が上を向いている。ＡＤＦによってシートが搬送される場合、本体部側ＣＩＳは、下経路に対して下方に移動して停止する。本体部側ＣＩＳも読取面が上を向いており、下経路に対向する。この際、ＡＤＦ側ＣＩＳと本体部側ＣＩＳとは、上下方向に重なるように配置される。ＡＤＦ側ＣＩＳは、シートが上経路を搬送される際に、そのシートの一面の画像を読み取る。本体部側ＣＩＳは、シートが下経路を搬送される際に、そのシートの他面の画像を読み取る。これにより、この画像読取装置では、ＡＤＦによって搬送されるシートの片面又は両面の画像を読み取ることができる。
【先行技術文献】
【特許文献】
【０００５】
【特許文献１】特許第５１７０１４５号公報
【発明の概要】
【発明が解決しようとする課題】
【０００６】
ところで、上記従来の画像読取装置では、ＡＤＦによってシートが搬送される場合にＡＤＦ側ＣＩＳと本体部側ＣＩＳとが上下方向に重なるように配置されることから、上下方向における装置の小型化が難しいという問題がある。そこで、ＡＤＦ側ＣＩＳを下経路に上方から対向する位置に読取面が下向きとなるように配置するとともに、下経路に下方から対向するＦＢ側ＣＩＳに対して、搬送方向の上流、あるいは下流のずれた位置にＡＤＦ側ＣＩＳを配置することで、上下方向の小型化を図ることが考えられる。しかしながら、この場合、本体フレーム等に対してＡＤＦ側ＣＩＳを位置決めする際の制約等によって下経路が長くなり易く、下経路が延びる方向における装置の小型化が難しくなるおそれがある。
【０００７】
本発明は、上記従来の実情に鑑みてなされたものであって、上下方向と、下経路が延びる方向とにおいて、装置の小型化を実現できる画像読取装置を提供することを目的とする。
【課題を解決するための手段】
【０００８】
本発明の画像読取装置は、ガイド部と搬送ローラとを有し、前記ガイド部は、湾曲路と、前記湾曲路の上端部に接続する上経路と、前記湾曲路の下端部に接続する下経路と、を含む搬送経路を規定し、前記搬送ローラは、前記下端部に配置される搬送部であって、前記上経路、前記湾曲路、前記下経路の順番となる搬送方向で、シートを前記搬送経路に沿って搬送する前記搬送部と、
前記下経路において前記搬送ローラよりも前記搬送方向の下流に配置され、前記下経路を搬送されるシートの一面の画像を読み取る第１読取部と、
前記下経路において前記第１読取部よりも前記搬送方向の下流に配置され、前記下経路を搬送されるシートの他面の画像を読み取る第２読取部と、を備え、
前記第１読取部は、前記下経路に対向しつつ主走査方向に延びる第１読取面と、前記第１読取面に交差する方向に延設され、かつ前記第１読取面を間に位置させて互いに対向し、前記主走査方向に沿ってそれぞれ延びる第１側面及び第２側面と、を含み、
前記第２側面は、前記搬送方向において前記第１側面よりも前記搬送ローラから遠い位置にあり、
前記第２側面には、前記第１読取部を前記ガイド部に対して位置決めする第１位置決め機構が設けられていることを特徴とする。
【０００９】
本発明の画像読取装置では、第１読取部と第２読取部とを上下方向に重ならない配置にすることにより、上下方向の小型化を実現できる。それに加えて、この画像読取装置では、下経路に第１読取部と第２読取部とを配置する場合に、第１読取部の第１位置決め機構を搬送方向において搬送ローラとは反対側に設けたことで、搬送ローラに対して第１読取部を近づけて配置することができ、下経路を短くできる。
【００１０】
したがって、本発明の画像読取装置では、上下方向と、下経路が延びる方向とにおいて、装置の小型化を実現できる。
【図面の簡単な説明】
【００１１】
【図１】実施例の画像読取装置の斜視図である。
【図２】実施例の画像読取装置の模式正面図である。
【図３】開放位置にある開閉部を主に示す部分斜視図である。
【図４】実施例の画像読取装置の部分断面図である。
【図５】実施例の画像読取装置の部分断面図である。
【図６】第２読取部をキャリッジに組み付ける手順を説明する斜視図である。
【図７】第１読取部等が組み付けられた第２シュート部材を下から見上げた状態を示す斜視図である。
【図８】第１読取部と、第１読取部を収容する第２シュート部材の収容部とを主に示す部分斜視図である。
【図９】第２シュート部材の収容部に収容された第１読取部と、収容部に装着される前の位置決め部材とを主に示す部分斜視図である。
【図１０】第２シュート部材の収容部に収容された第１読取部を主に示す部分下面図である。
【図１１】図１０のＡ−Ａ断面を示す部分断面図である。
【発明を実施するための形態】
【００１２】
以下、本発明を具体化した実施例を図面を参照しつつ説明する。
【００１３】
（実施例）
図１に示すように、実施例の画像読取装置１は、本発明の画像読取装置の具体的態様の一例である。図１では、操作パネル８Ｐが配置される側を装置の前方と規定し、操作パネル８Ｐに向かった場合に左手に来る側を左方と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１４】
＜全体構成＞
図１〜図５に示すように、画像読取装置１は、本体部８、開閉部９、画像形成ユニット５、読取ユニット３及び搬送部４を備えている。本体部８は、扁平な略箱状体である。図１に示すように、本体部８の前面には、タッチパネル等である操作パネル８Ｐが設けられている
【００１５】
図２に示すように、読取ユニット３は、本体部８内の上部分に位置している。画像形成ユニット５は、本体部８内の下部分に収容されている。画像形成ユニット５は、インクジェット方式又はレーザ方式等によりシートに画像を形成する。
【００１６】
図３〜図５に示すように、本体部８の上面には、第１プラテンガラス８１、第２プラテンガラス８２及び枠体８Ｗが配設されている。
【００１７】
第１プラテンガラス８１の上面によって、支持面８１Ａが形成されている。支持面８１Ａは、静止した状態の原稿の画像を読取ユニット３が読み取る際に、その原稿を下から支持する。読取対象の原稿には、用紙、ＯＨＰシート等であるシートの他、書籍等が含まれる。
【００１８】
第２プラテンガラス８２は、第１プラテンガラス８１の左に位置して前後方向に細長く延びている。第２プラテンガラス８２の上面によって、読取ガイド面８２Ａが形成されている。読取ガイド面８２Ａは、搬送部４によって１枚ずつ搬送されるシートＳＨの画像を読取ユニット３が読み取る際に、その搬送されるシートＳＨを下から案内する。
【００１９】
なお、本実施例においては、支持面８１Ａを使用して画像が読み取られる対象を原稿と記載し、搬送部４により搬送しながら画像が読み取られる対象をシートと記載する。原稿とシートとは、実質的に同じものであってもよい。
【００２０】
枠体８Ｗは、第１プラテンガラス８１及び第２プラテンガラス８２の周縁を囲っている。枠体８Ｗにおける第２プラテンガラス８２に左から隣接する部分には、案内部８９が形成されている。案内部８９は、枠体８Ｗの上面から上向きに突出しつつ、前後方向に延びている。案内部８９の上を向く面は、左端から右端に向かって枠体８Ｗからの高さが低くなる傾斜面８９Ａとされている。すなわち、傾斜面８９Ａは、読取ガイド面８２Ａに接近するように右向きに下り傾斜している。
【００２１】
図１に示すように、開閉部９は、本体部８の後部に配設された図示しないヒンジによって、左右方向に延びる開閉軸心Ｘ９周りで揺動可能に支持されている。開閉部９は、図１、図２、図４及び図５に示す閉鎖位置では、支持面８１Ａを上方から覆っている。開閉部９は、その前端部が上方かつ後方に変位するように開閉軸心Ｘ９周りで揺動することにより、図３に示す開放位置に変位する。開閉部９は、開放位置で支持面８１Ａを露出させる。これにより、ユーザは読取対象の原稿を支持面８１Ａに支持させることができる。
【００２２】
なお、開閉部９の構成やその内部構造について説明する際には、上下方向及び前後方向について、閉鎖位置にある開閉部９の姿勢を基準とする。
【００２３】
図２〜図５に示すように、読取ユニット３は、開閉部９内に収容された第１読取部３１と、本体部８内の上部分に収容された第２読取部３２とを有している。第１読取部３１及び第２読取部３２としては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが使用される。
【００２４】
本実施形態において、第１読取部３１と第２読取部３２とは、実質的に同じものである。第１読取部３１、及び第２読取部３２は、図６及び図８に示すように、外観形状が略直方体であり、主走査方向に延びる一つの面が第１読取面３１Ａ、及び第２読取面３２Ａをそれぞれ構成している。
【００２５】
図４及び図５に示すように、本実施形態においては、第１読取部３１は、第１読取面３１Ａを斜め下に向けて、主走査方向が前後方向となるように配置される。第２読取部３２は、第２読取面３２Ａを上に向けて主走査方向が前後方向となるように配置される。この状態で、第１読取部３１において、第１読取面３１Ａに対して左にあり、主走査方向に延びる面を第１側面３１Ｂ、第１読取面３１Ａに対して右にあり、主走査方向に延びる面を第２側面３１Ｃとする。一方、第２読取部３２において、第２読取面３２Ａに対して左にあり、主走査方向に延びる面を第３側面３２Ｂ、第２読取面３２Ａに対して右にあり、主走査方向に延びる面を第４側面３２Ｃとする。
【００２６】
第１側面３１Ｂと第２側面３１Ｃとは、それぞれ第１読取面３１Ａに対して直交、もしくは略直交する面であり、第１読取面３１Ａを介して対向している。第３側面３２Ｂと第４側面３２Ｃとは、それぞれ第２読取面３２Ａに対して直交、もしくは略直交する面であり、第２読取面３２Ａを介して対向している。主走査方向に延びる第１読取面３１Ａ、及び第２読取面３２Ａには、図示しない複数の受光素子が列設されている。
【００２７】
図４及び図５に示すように、第２読取部３２は、支持面８１Ａに対して下方に配置されたキャリッジ３９に保持されている。キャリッジ３９は、図示しない走査機構に連結されている。図示しない走査機構が稼動することにより、キャリッジ３９が第２読取部３２を保持した状態で、主走査方向に直交する副走査方向である左右方向に往復動する。
【００２８】
図４に示すように第２読取部３２は、支持面８１Ａ及び読取ガイド面８２Ａの下方に位置している。図示しない走査機構は、支持面８１Ａに支持される原稿の画像を読み取る際に、キャリッジ３９に保持された第２読取部３２を本体部８内における支持面８１Ａの下方で左右方向に往復動させる。また、図示しない走査機構は、搬送部４によって搬送されるシートＳＨの画像を第２読取部３２が読み取る際に、キャリッジ３９に保持された第２読取部３２を本体部８内における読取ガイド面８２Ａの下方の静止読取位置で停止させる。
【００２９】
ここで、第２読取部３２がキャリッジ３９に組み付けられる具体的構成については、図５及び図６を参照しつつ説明する。
【００３０】
図５及び図６に示すように、第２読取部３２の第４側面３２Ｃには、第２読取部３２をキャリッジ３９に対して位置決めするための第２位置決め機構３２０が設けられている。
【００３１】
図６に示すように、第２位置決め機構３２０は、第３凸部３２１Ｔ、第４凸部３２２Ｔ、第３軸部３２１Ｓ及び第４軸部３２２Ｓを含んでいる。
【００３２】
第３凸部３２１Ｔは、第４側面３２Ｃの前端部から第３側面３２Ｂとは反対側に向かって突出している。第４凸部３２２Ｔは、第４側面３２Ｃの後端部から第３側面３２Ｂとは反対側に向かって突出している。第３凸部３２１Ｔ及び第４凸部３２２Ｔは、略直方体形状とされている。第３凸部３２１Ｔ及び第４凸部３２２Ｔの主走査方向の中間部には、位置決め凹部３２９、３２９が凹設されている。位置決め凹部３２９、３２９は、第３凸部３２１Ｔ及び第４凸部３２２Ｔにおける第３側面３２Ｂとは反対側を向く端面から第４側面３２Ｃに向かって凹んでいる。また、位置決め凹部３２９、３２９は、第３凸部３２１Ｔ及び第４凸部３２２Ｔにおける第２読取面３２Ａとは反対側を向く端面から第２読取面３２Ａに向かって凹んでいる。
【００３３】
第３軸部３２１Ｓは、第３凸部３２１Ｔの後を向く端面から略円柱状に後向きに突出している。第４軸部３２２Ｓは、第４凸部３２２Ｔの後を向く端面から略円柱状に後向きに突出している。第３軸部３２１Ｓ及び第４軸部３２２Ｓは、同軸であって、主走査方向と平行な位置決め軸心Ｘ３２を規定している。
【００３４】
キャリッジ３９は、基部３９０、軸支部３９１、３９２及び位置決め凸部３９９を有している。基部３９０は、平坦面である底部３９０Ｂ、底部３９０Ｂの右端縁から上向きに突出する右壁３９０Ｒ、及び底部３９０Ｂの左端縁から上向きに突出する左壁３９０Ｌを備える。キャリッジ３９は、断面略「コ」字形状とされている。軸支部３９１は、右壁３９０Ｒの前方に設けられ、底部３９０Ｂの前端かつ右端の角部から上向きに略板状に突出している。軸支部３９１には、上下方向に長い長穴３９１Ｈが前後方向に貫設されている。長穴３９１Ｈの上端は開放されている。軸支部３９２は、右壁３９０Ｒの後方に設けられ、底部３９０Ｂの後端かつ右端の角部から上向きに略板状に突出している。軸支部３９２にも、上下方向に長い長穴３９２Ｈが前後方向に貫設されている。長穴３９２Ｈの上端は開放されている。位置決め凸部３９９は、軸支部３９２に対して前方の位置で、略角柱状をなして上向きに突出している。軸支部３９２と位置決め凸部３９９との間には隙間が形成されている。
【００３５】
図６に示す姿勢とされた第２読取部３２を矢印Ｒ１、Ｒ２で示すように、キャリッジ３９に接近させる。次に、第２位置決め機構３２０の第３軸部３２１Ｓ及び第４軸部３２２Ｓを前方から軸支部３９１、３９２の長穴３９１Ｈ、３９２Ｈにそれぞれ嵌入させる。最後に、第２読取部３２を矢印Ｒ３で示すように、位置決め軸心Ｘ３２周りで揺動させる。これにより、第２位置決め機構３２０の後方に位置する位置決め凹部３２９がキャリッジ３９の位置決め凸部３９９と嵌合する。その結果、第２読取部３２がキャリッジ３９に対して前後方向に位置決めされる。
【００３６】
図２、図４及び図５に示すように、第１読取部３１は、開閉部９内における搬送経路Ｐ１の途中に配設されている。図５に示すように、第１読取部３１は、第２シュート部材１２０に組み付けられて、第３プラテンガラス８３を介して搬送経路Ｐ１に対向している。第３プラテンガラス８３は、本発明の「プラテンガラス」の一例である。第１読取部３１が第２シュート部材１２０に組み付けられる具体的構成については、後で図７〜図１１を示して説明する。
【００３７】
図４〜図５及び図７に示すように、第１読取部３１も、第２読取部３２と同様に、主走査方向である前後方向に延在しており、その下を向く面が第１読取面３１Ａとされている。なお、図７では、第３プラテンガラス８３が取り外された状態の第２シュート部材１２０を示している。
【００３８】
図５に示すように、第３プラテンガラス８３の上を向く面は、第１読取面３１Ａと対向している。第３プラテンガラス８３の下を向く面は、読取ガイド面８３Ａとされている。読取ガイド面８３Ａは、搬送部４によって搬送されるシートＳＨの画像を第１読取部３１が読み取る際に、その搬送されるシートＳＨを上から案内する。
【００３９】
図２、図４及び図５に示すように、搬送部４は、開閉部９に設けられている。搬送部４は、供給トレイ９１及び排出トレイ９２を有している。図１及び図２に示すように、供給トレイ９１は、開閉部９の右部分に位置している。排出トレイ９２は、供給トレイ９１よりも下方に位置している。
【００４０】
図４に示すように、供給トレイ９１は、搬送部４によって搬送される読取対象のシートＳＨを下から支持する。供給トレイ９１に支持されるシートＳＨの上を向く面を一面ＳＨ１とする。供給トレイ９１に支持されるシートＳＨの下を向く面、すなわち一面ＳＨ１とは反対を向く面を他面ＳＨ２とする。排出トレイ９２には、第１読取部３１及び第２読取部３２によって画像が読み取られ、搬送部４によって搬送されたシートＳＨが排出される。シートＳＨが排出トレイ９２に排出されると、一面ＳＨ１は下を向き、他面ＳＨ２は上を向く。
【００４１】
図４及び図５に示すように、搬送部４は、第１シュート部材１１０、第２シュート部材１２０、第１カバー部材１３０及び第２カバー部材１４０を含んでいる。第１シュート部材１１０、第２シュート部材１２０、第１カバー部材１３０及び第２カバー部材１４０は、本発明の「ガイド部」の一例である。
【００４２】
図７に示すように、搬送部４は、駆動部４Ｍを含んでいる。駆動部４Ｍは、板金フレーム４Ｆ等に支持されたモータや伝達ギヤ群からなる。板金フレーム４Ｆは、第２シュート部材１２０の後端に後から対向し、第２カバー部材１４０に組み付けられている。駆動部４Ｍは、後述する第２搬送ローラ４５を含む複数の搬送ローラを駆動する。第２搬送ローラ４５は、本発明の「搬送ローラ」の一例である。
【００４３】
第２搬送ローラ４５の回転軸４５Ｓは、第２シュート部材１２０及び板金フレーム４Ｆに回転可能に支持されている。回転軸４５Ｓの後端は、駆動部４Ｍに連結されている。
【００４４】
図４及び図５に示すように、搬送部４は、搬送経路Ｐ１を有する。搬送経路Ｐ１は、第１シュート部材１１０、第２シュート部材１２０、第１カバー部材１３０及び第２カバー部材１４０の上面や下面によって形成され、開閉部９内でシートＳＨの一面ＳＨ１又は他面ＳＨ２に当接可能に延びる複数のガイド面によって囲まれた空間として規定される。搬送経路Ｐ１は、湾曲路ＰＣ１と上経路ＰＡ１と下経路ＰＢ１とを含んでいる。
【００４５】
図４及び図５に示すように、湾曲路ＰＣ１は、開閉部９の左端部近傍において、左方に膨らむように湾曲している。
【００４６】
上経路ＰＡ１は、供給トレイ９１から開閉部９の左端部近傍まで延びている。上経路ＰＡ１の左端は、湾曲路ＰＣ１の上端部に接続している。上経路ＰＡ１は、供給トレイ９１に連続する部分が下り傾斜し、後述する供給ローラ４１と分離ローラ４２との間にある位置を境に、上り傾斜している。
【００４７】
下経路ＰＢ１は、上経路ＰＡ１に対して下方に位置している。下経路ＰＢ１の左端は、湾曲路ＰＣ１の下端部に接続している。下経路ＰＢ１は、開閉部９の左端部近傍から排出トレイ９２まで延びている。下経路ＰＢ１は、開閉部９の左端部近傍から読取ガイド面８２Ａに接近するように下り傾斜し、読取ガイド面８２Ａに沿って略水平に右方に延びた後、排出トレイ９２に向かって上り傾斜している。
【００４８】
下経路ＰＢ１は、読取ガイド面８２Ａに沿って略水平に右方に延びる部分、すなわち、湾曲路ＰＣ１よりも下方に位置する所定の部分を基準部ＰＢ１０として、第１傾斜部ＰＢ１１と第２傾斜部ＰＢ１２とを含んでいる。
【００４９】
第１傾斜部ＰＢ１１は、下経路ＰＢ１のうち、開閉部９の左端部近傍から読取ガイド面８２Ａに接近するように下り傾斜する部分、すなわち、湾曲路ＰＣ１の下端部から基準部ＰＢ１０に向かって下り傾斜する部分である。
【００５０】
第２傾斜部ＰＢ１２は、下経路ＰＢ１のうち、読取ガイド面８２Ａの右方から排出トレイ９２に向かって上り傾斜する部分、すなわち、基準部ＰＢ１０から湾曲路ＰＣ１とは反対側に向かって上り傾斜する部分である。
【００５１】
搬送部４は、搬送経路Ｐ１において上経路ＰＡ１から湾曲路ＰＣ１を経由して下経路ＰＢ１にシートＳＨを搬送する。搬送経路Ｐ１におけるシートＳＨの搬送方向は、上経路ＰＡ１では左向きであり、湾曲路ＰＣ１では左向きから変化して右向きになり、下経路ＰＢ１では右向きである。搬送経路Ｐ１において、上経路ＰＡ１の右端が搬送方向の最も上流であり、下経路ＰＢ１の右端が搬送方向の最も下流である。
【００５２】
第１シュート部材１１０は、その上面によって、上経路ＰＡ１を規定する第１ガイド面１１１を形成している。第１ガイド面１１１は、上経路ＰＡ１を搬送されるシートＳＨの他面ＳＨ２に当接可能に延在し、上経路ＰＡ１においてシートＳＨを下から案内する。
【００５３】
第１シュート部材１１０の左端部には、上湾曲面１１６が形成されている。上湾曲面１１６は、湾曲路ＰＣ１の上部分を規定している。上湾曲面１１６は、湾曲路ＰＣ１の上部分を搬送されるシートＳＨの他面ＳＨ２に当接可能に延在し、湾曲路ＰＣ１の上部分においてシートＳＨを下及び右から案内する。
【００５４】
第２シュート部材１２０は、第１シュート部材１１０の下方に配置され、ネジ等の締結部材によって、第１シュート部材１１０と一緒に第２カバー部材１４０に固定されている。第２シュート部材１２０の左端部には、下湾曲面１２６が形成されている。下湾曲面１２６は、湾曲路ＰＣ１の下部分を規定している。下湾曲面１２６は、湾曲路ＰＣ１の下部分を搬送されるシートＳＨの他面ＳＨ２に当接可能に延在し、湾曲路ＰＣ１の下部分においてシートＳＨを右及び上から案内する。
【００５５】
図５及び図７等に示すように、下湾曲面１２６は、第２搬送ローラ４５に対応する位置に開口が形成され、第２搬送ローラ４５の外周面における下方に位置する部分を湾曲路ＰＣ１の下端部に露出させる。つまり、第２搬送ローラ４５は、湾曲路ＰＣの下端部に配置されている。
【００５６】
図４及び図５に示すように、第２シュート部材１２０の下面は、下湾曲面１２６に接続して右向きに下り傾斜している。第２シュート部材１２０は、その下面によって、下経路ＰＢ１の第１傾斜部ＰＢ１１を規定する第２ガイド面１２２を形成している。第２ガイド面１２２は、第１傾斜部ＰＢ１１を搬送されるシートＳＨの他面ＳＨ２に当接可能に延在し、第１傾斜部ＰＢ１１においてシートＳＨを上から案内する。第２シュート部材１２０には、収容部１２９が上向きに凹設されている。収容部１２９は、前後方向に長い略直方体形状の空間である。収容部１２９の内部には、第１読取部３１が保持されている。収容部１２９は、第３プラテンガラス８３によって塞がれている。なお、収容部１２９への第１読取部３１の保持構成については、後述する。
【００５７】
収容部１２９に保持された第１読取部３１は、上経路ＰＡ１と下経路ＰＢ１との間に配置されている。また、第１読取部３１は、下経路ＰＢ１において第２搬送ローラ４５よりも搬送方向の下流に配置されている。一方、静止読取位置に停止した第２読取部３２は、下経路ＰＢ１において第１読取部３１よりも搬送方向の下流に位置している。
【００５８】
図４及び図５に示すように、第３プラテンガラス８３の読取ガイド面８３Ａは、第１傾斜部ＰＢ１１に沿って右向きに下り傾斜している。読取ガイド面８３Ａは、第２ガイド面１２２とともに、第１傾斜部ＰＢ１１を規定する。第１読取部３１の第１読取面３１Ａは、第３プラテンガラス８３の読取ガイド面８３Ａと平行、すなわち、第１傾斜部ＰＢ１１に沿って斜め下向きに配設されている。第１読取部３１の第１読取面３１Ａは、第３プラテンガラス８３の読取ガイド面８３Ａを介して、第１傾斜部ＰＢ１１に対向する。換言すると、第１読取部３１は、静止読取位置に停止した第２読取部３２に対して傾斜した状態で、第１読取面３１Ａが第１傾斜部ＰＢ１１に対向するように配置されている。
【００５９】
第２シュート部材１２０の下面には、シート押さえ４９が保持されている。シート押さえ４９は、第３プラテンガラス８３における搬送方向の下流の端部に右から隣接する位置にあって、読取ガイド面８２Ａに上から対向している。なお、図７〜図８では、シート押さえ４９が取り外された状態の第２シュート部材１２０を示す。
【００６０】
図４及び図５に示すように、第２シュート部材１２０とシート押さえ４９との間には、圧縮コイルバネ４９Ｓが配設されている。圧縮コイルバネ４９Ｓは、シート押さえ４９を読取ガイド面８２Ａに向けて付勢する。シート押さえ４９の下面は、下経路ＰＢ１の基準部ＰＢ１０を規定している。シート押さえ４９の下面は、基準部ＰＢ１０を搬送されるシートＳＨの他面ＳＨ２に当接可能に延在し、基準部ＰＢ１０においてシートＳＨを上から案内する。
【００６１】
第２シュート部材１２０の下面は、シート押さえ４９に右から隣接する位置から右向きに上り傾斜している。第２シュート部材１２０は、その下面によって、下経路ＰＢ１の第２傾斜部ＰＢ１２を規定する第３ガイド面１２３を形成している。第３ガイド面１２３は、第２傾斜部ＰＢ１２を搬送されるシートＳＨの他面ＳＨ２に当接可能に延在し、第２傾斜部ＰＢ１２においてシートＳＨを上から案内する。
【００６２】
第１カバー部材１３０は、第１シュート部材１１０に対して上から組み付けられている。第１カバー部材１３０の下面には、複数のリブ１３０Ｒが形成されている。第１カバー部材１３０は、各リブ１３０Ｒの下端縁によって、第４ガイド面１３４を形成している。第４ガイド面１３４は、上経路ＰＡ１及び湾曲路ＰＣ１の上部分を規定する。第４ガイド面１３４は、上経路ＰＡ１及び湾曲路ＰＣ１の上部分を搬送されるシートＳＨの一面ＳＨ１に当接可能に延在し、上経路ＰＡ１及び湾曲路ＰＣ１の上部分においてシートＳＨを上及び左から案内する。
【００６３】
第２カバー部材１４０は、第１シュート部材１１０及び第２シュート部材１２０を下から支持している。図４に示すように、第２カバー部材１４０の右部分の上面は、排出トレイ９２を構成している。
【００６４】
図３〜図５に示すように、第２カバー部材１４０には、開口１４０Ｈが上下方向に貫設されている。開口１４０Ｈは、第３プラテンガラス８３の読取ガイド面８３Ａ及びシート押さえ４９を露出させる大きさの略矩形状の開口である。
【００６５】
図４及び図５に示すように、第２カバー部材１４０において、開口１４０Ｈよりも左方には第５ガイド面１４５Ａが形成されている。第５ガイド面１４５Ａは、下湾曲面１２６と対向しており、湾曲路ＰＣ１の下部分を規定する。第５ガイド面１４５Ａは、湾曲路ＰＣ１の下部分を搬送されるシートＳＨの一面ＳＨ１に当接可能に延在し、湾曲路ＰＣ１の下部分及び下経路ＰＢ１の第１傾斜部ＰＢ１１においてシートＳＨを左及び下から案内する。
【００６６】
図４に示すように、第２カバー部材１４０において、開口１４０Ｈより右方には第５ガイド面１４５Ｂが形成されている。第５ガイド面１４５Ｂは、下経路ＰＢ１の第２傾斜部ＰＢ１２を規定する。第５ガイド面１４５Ｂは、下経路ＰＢ１の第２傾斜部ＰＢ１２を搬送されるシートＳＨの一面ＳＨ１に当接可能に延在し、下経路ＰＢ１の第２傾斜部ＰＢ１２においてシートＳＨを下から案内する。
【００６７】
図４及び図５に示すように、搬送部４の左端部近傍の下面には、保持部材１４１が組み付けられている。保持部材１４１には、シート押さえ１４９が保持されている。シート押さえ１４９は、第５ガイド面１４５Ａに右から隣接する位置にあって、第３プラテンガラス８３を介して第１読取部３１の第１読取面３１Ａに下から対向している。保持部材１４１とシート押さえ１４９との間には、圧縮コイルバネ１４９Ｓが配設されている。圧縮コイルバネ１４９Ｓは、シート押さえ１４９を読取ガイド面８３Ａに向けて付勢する。
【００６８】
シート押さえ１４９は、図１１に示すように、第３プラテンガラス８３に直交する方向であるＺ方向から見て、第１位置決め機構３１０の第１凸部３１１Ｔ、第２凸部３１２Ｔ、第１軸部３１１Ｓ及び第２軸部３１２Ｓと重ならない位置にある。
【００６９】
図４及び図５に示すように、開閉部９が閉鎖位置にある状態で、シート押さえ１４９の上面と、枠体８Ｗに形成された傾斜面８９Ａとは、第１傾斜部ＰＢ１１に沿って右向きに下り傾斜している。シート押さえ１４９の上面は、第３プラテンガラス８３に対向し、傾斜面８９Ａとともに、第１傾斜部ＰＢ１１を規定する。シート押さえ１４９の上面は、第１傾斜部ＰＢ１１を通過するシートＳＨの一面ＳＨ１に当接可能に延在し、下経路ＰＢ１の第１傾斜部ＰＢ１１においてシートＳＨを下から案内する。また、シート押さえ１４９は、圧縮コイルバネ１４９Ｓに付勢されることにより、搬送部４によって搬送されるシートＳＨを第３プラテンガラス８３に向けて押圧する。
【００７０】
開閉部９が閉鎖位置にある状態において、開口１４０Ｈは、読取ガイド面８２Ａの真上に位置し、読取ガイド面８２Ａとシート押さえ４９とを対面させる。これにより、読取ガイド面８２Ａは、下経路ＰＢ１の基準部ＰＢ１０を規定する。読取ガイド面８２Ａは、基準部ＰＢ１０を搬送されるシートＳＨの一面ＳＨ１に当接可能に延在し、基準部ＰＢ１０においてシートＳＨを下から案内する。湾曲路ＰＣ１の下端部から基準部ＰＢ１０に向かって下り傾斜する第１傾斜部ＰＢ１１は、換言すると、湾曲路ＰＣ１から静止読取位置に停止する第２読取部３２に向かって下り傾斜している。
【００７１】
搬送部４は、上経路ＰＡ１のうち、供給トレイ９１に近い位置に設けられる供給ローラ４１、分離ローラ４２及び分離片４３を含んでいる。
【００７２】
供給ローラ４１と分離ローラ４２とは、第１シュート部材１１０の第１ガイド面１１１に対して上から対向する位置に設けられている。分離片４３は、第１シュート部材１１０の上面と共にシートの搬送面を形成しており、分離ローラ４２に下から対向する位置に設けられている。分離片４３は、ゴムやエラストマー等の軟質材料からなる板状体である。分離片４３は、付勢バネ４３Ｓによって、分離ローラ４２に押圧される。
【００７３】
供給ローラ４１と分離ローラ４２とは同期回転する。供給ローラ４１は、供給トレイ９１に支持されるシートＳＨに搬送力を付与して、そのシートＳＨを分離ローラ４２に向けて送り出す。分離ローラ４２は、供給トレイ９１から上経路ＰＡ１に送り出されるシートＳＨに接触しつつ回転し、シートＳＨを湾曲路ＰＣ１に向けて搬送する。分離片４３は、分離ローラ４２によって搬送されるシートＳＨを分離ローラ４２と協働して１枚ずつに分離する。
【００７４】
搬送部４は、第１搬送ローラ４４、ピンチローラ４４Ｐ、第２搬送ローラ４５、ピンチローラ４５Ｐ、排出ローラ４８及びピンチローラ４８Ｐを有している。
【００７５】
第１搬送ローラ４４及びピンチローラ４４Ｐは、上経路ＰＡ１において、分離ローラ４２及び分離片４３よりも左、すなわち、搬送方向の下流に配設されている。第１搬送ローラ４４は、第１ガイド面１１１側から一部が露出するように配置される。ピンチローラ４４Ｐは、第４ガイド面１３４から一部が露出するように配置される。第１搬送ローラ４４及びピンチローラ４４Ｐは、分離ローラ４２及び分離片４３によって１枚ずつに分離されたシートＳＨをニップし、湾曲路ＰＣ１に向かって搬送する。
【００７６】
第２搬送ローラ４５及びピンチローラ４５Ｐは、湾曲路ＰＣ１の下部分に配設されている。第２搬送ローラ４５及びピンチローラ４５Ｐは、第１読取部３１よりも左方かつ上方、すなわち、搬送方向の上流に位置している。第２搬送ローラ４５は、下湾曲面１２６から一部が露出するように配置される。ピンチローラ４５Ｐは、第５ガイド面１４５Ａから一部が露出するように配置される。
【００７７】
第２搬送ローラ４５及びピンチローラ４５Ｐは、第１搬送ローラ４４及びピンチローラ４４Ｐによって搬送されるシートＳＨをニップし、第１傾斜部ＰＢ１１に沿って配置される第１読取部３１、及び静止読取位置に停止して基準部ＰＢ１０に対向する第２読取部３２に向けて、そのシートＳＨを搬送する。この際、シートＳＨは、押圧部材１４９によって、読取ガイド面８３Ａからの浮き上がりを抑制されながら搬送される。また、シートＳＨは、シート押さえ４９によって、読取ガイド面８２Ａからの浮き上がりを抑制されながら搬送される。
【００７８】
図４に示すように、排出ローラ４８及びピンチローラ４８Ｐは、下経路ＰＢ１の第２傾斜部ＰＢ１２の右端で排出トレイ９２の上流側に配設されている。排出ローラ４８は、第３ガイド面１２３に隣接しており、ピンチローラ４８Ｐは、第５ガイド面１４５Ｂに隣接している。排出ローラ４８及びピンチローラ４８Ｐは、読取ガイド面８２Ａ上を通過したシートＳＨをニップして、排出トレイ９２に排出する。
【００７９】
ここで、第１読取部３１が収容部１２９に組み付けられる具体的構成については、図５及び図７〜図１１を参照しつつ説明する。なお、図１１に二点鎖線で示す第２搬送ローラ４５及びピンチローラ４５Ｐは、図１０のＡ−Ａ断面よりも前方に位置し、また、図１１の紙面手前側に位置している。
【００８０】
図５及び図１１に示すように、第１読取部３１が収容部１２９に保持された状態において、第１側面３１Ｂは、第１読取面３１Ａの左端縁に接続して上向きに延設され、かつ、主走査方向に延びている。第２側面３１Ｃは、第１読取面３１Ａの右端縁に接続して上向きに延設され、かつ、主走査方向に延びている。第２側面３１Ｃは、下経路ＰＢ１の搬送方向において、第１側面３１Ｂよりも第２搬送ローラ４５から遠い位置にある。
【００８１】
図８〜図１１に示すように、第２側面３１Ｃには、第１読取部３１を第２シュート部材１２０に対して位置決めするための第１位置決め機構３１０が設けられている。
【００８２】
第１位置決め機構３１０は、第１凸部３１１Ｔ、第２凸部３１２Ｔ、第１軸部３１１Ｓ及び第２軸部３１２Ｓを含んでいる。
【００８３】
第１凸部３１１Ｔは、第２側面３１Ｃの後端部から下経路ＰＢ１における搬送方向の下流に向かって、すなわち、右向きに突出している。第２凸部３１２Ｔは、第２側面３１Ｃの前端部から下経路ＰＢ１における搬送方向の下流に向かって、すなわち、右向きに突出している。第１凸部３１１Ｔ及び第２凸部３１２Ｔは、略直方体形状とされている。図８及び図１０に示すように、第１凸部３１１Ｔ及び第２凸部３１２Ｔの主走査方向の中間部には、位置決め凹部３１９、３１９が凹設されている。位置決め凹部３１９、３１９は、第１凸部３１１Ｔ及び第２凸部３１２Ｔにおける第１側面３１Ｂとは反対側を向く端面から第２側面３１Ｃに向かって凹んでいる。また、位置決め凹部３１９、３１９は、第１凸部３１１Ｔ及び第２凸部３１２Ｔにおける第１読取面３１Ａとは反対側を向く端面から第１読取面３１Ａに向かって凹んでいる。
【００８４】
図８〜図１１に示すように、第１軸部３１１Ｓは、第１凸部３１１Ｔの前を向く端面から略円柱状に前向きに突出している。第２軸部３１２Ｓは、第２凸部３１２Ｔの前を向く端面から略円柱状に前向きに突出している。第１軸部３１１Ｓ及び第２軸部３１２Ｓは、同軸であって、主走査方向と平行な位置決め軸心Ｘ３１を規定している。
【００８５】
図８に示すように、収容部１２９における下を向く内壁面１２９Ｍの前端と後端とには、発泡体１２９Ｃ、１２９Ｃが貼り付けられている。内壁面１２９Ｍには、収容部１２９に第１読取部３１が取り付けられた場合に、第１読取部３１における第１読取面３１Ａとは反対側の面が対向する。発泡体１２９Ｃ、１２９Ｃは、スポンジ等の圧縮変形し易い素材からなる。発泡体１２９Ｃ、１２９Ｃは、収容部１２９に保持された第１読取部３１を第３プラテンガラス８３に押し付けるためのものである。
【００８６】
収容部１２９は、当接面１２７、１２８及び位置決め凸部１２９Ｔを有している。収容部１２９における左を向く内壁面１２９Ｎの前端と後端とは、第１位置決め機構３１０の第１凸部３１１Ｔ、第２凸部３１２Ｔ、第１軸部３１１Ｓ及び第２軸部３１２Ｓを収容可能に、右方に凹んでいる。当接面１２７は、収容部１２９における左を向く内壁面１２９Ｎの後端に形成され、上下方向に延在する平坦面である。当接面１２８は、収容部１２９における左を向く内壁面１２９Ｎの前端に形成され、上下方向に延在する平坦面である。位置決め凸部１２９Ｔは、当接面１２８に対して後方の位置で、略角柱状をなして下向きに突出している。当接面１２８と位置決め凸部１２９Ｔとの間には隙間が形成されている。
【００８７】
図８に示す姿勢とされた第１読取部３１を図９及び図１０に示すように、収容部１２９内に収容する。この際、第１位置決め機構３１０の第１軸部３１１Ｓ及び第２軸部３１２Ｓが収容部１２９の当接面１２７、１２８にそれぞれ当接する。また、第１位置決め機構３１０の前方に位置する位置決め凹部３１９が収容部１２９の位置決め凸部１２９Ｔと嵌合する。これにより、第１読取部３１が収容部１２９に対して前後方向に位置決めされる。最後に、図９に示す２つの規制部材３１８、３１８を図７に示すように収容部１２９の前端と後端とに装着する。規制部材３１８、３１８は、略Ｌ字形状の部材であり、断面が「コ」字形状となっている。規制部材３１８、３１８が第１読取部３１の前端及び後端に下方から当接することによって、第１読取部３１が収容部１２９から抜けないように規制される。それに伴って、図１１に示すように、規制部材３１８、３１８の断面「コ」字形状部分３１８Ａが第１軸部３１１Ｓ及び第２軸部３１２Ｓに係合する。より具体的には、規制部材３１８における「コ」字形状を形成する対向する一対の壁の一方が、第１軸部３１１Ｓ及び第２軸部３１２Ｓと第２側面３１Ｃとの間に入り込む。また他方の壁が、第２シュート部材１２０に形成された溝１２０Ｇに嵌まる。これにより、第１軸部３１１Ｓ及び第２軸部３１２Ｓは、当接面１２７、１２８に押し付けられ、位置決め軸心Ｘ３１を中心として、第２シュート部材１２０に嵌合固定される。その結果、第１読取部３１が第２シュート部材１２０に対して位置決めされる。
【００８８】
その後、図５及び図１１に示すように、収容部１２９は、第３プラテンガラス８３によって塞がれる。第１位置決め機構３１０は、図１１に示すように、第３プラテンガラス８３に直交する方向であるＺ方向から見て、第３プラテンガラス８３と重なる位置にある。
【００８９】
図６及び図８等に示すように、第１読取部３１と第２読取部３２とは、設置される際の姿勢は異なるが、第１側面３１Ｂと第３側面３２Ｂとが対応し、第２側面３１Ｃと第４側面３２Ｃとが対応し、第１位置決め機構３１０と第２位置決め機構３２０とが対応する同一形状である。より詳しくは、第１位置決め機構３１０と第２位置決め機構３２０とは、第１凸部３１１Ｔと第３凸部３２１Ｔとが対応し、第２凸部３１２Ｔと第４凸部３２２Ｔとが対応し、第１軸部３１１Ｓと第３軸部３２１Ｓとが対応し、第２軸部３１２Ｓと第４軸部３２２Ｓとが対応し、位置決め凹部３１９、３１９と位置決め凹部３２９、３２９とが対応する同一形状である。
【００９０】
＜画像読取動作＞
この画像読取装置１では、支持面８１Ａに支持された原稿の画像を読み取る場合、読取ユニット３において図示しない走査機構が作動し、キャリッジ３９に保持された第２読取部３２を支持面８１Ａの左端縁の下方である読取開始位置から右端縁の下方である読取終了位置までの間で左右方向に移動させる。これにより、第２読取部３２は、支持面８１Ａに支持された原稿の画像を読み取る。その後、図示しない走査機構は、読み取りを終えた第２読取部３２を読取ユニット３内における右端から左端に移動させ、待機位置に復帰させる。
【００９１】
また、この画像読取装置１では、供給トレイ９１上のシートＳＨを搬送部４によって搬送し、そのシートＳＨの一面ＳＨ１及び他面ＳＨ２の画像を読み取る場合、読取ユニット３において図示しない走査機構が作動し、キャリッジ３９に保持された第２読取部３２を読取ガイド面８２Ａの下方である静止読取位置に停止させる。第２読取部３２は、静止読取位置において、下経路ＰＢ１の基準部ＰＢ１０と対向する。
【００９２】
そして、搬送部４が供給トレイ９１上のシートＳＨを搬送経路Ｐ１に沿って順次搬送すると、そのシートＳＨは、上経路ＰＡ１及び湾曲路ＰＣ１を通過し、下経路ＰＢ１に至る。すると、第１読取部３１は、第１傾斜部ＰＢ１１を通過するシートＳＨの他面ＳＨ２の画像を読み取る。次に、静止読取位置に停止した第２読取部３２は、基準部ＰＢ１０を通過するシートＳＨの一面ＳＨ１の画像を読み取る。そして、画像が読み取られたシートＳＨは、第２傾斜部ＰＢ１２を通過し、排出ローラ４８及びピンチローラ４８Ｐによって、排出トレイ９２に排出される。その後、図示しない走査機構は、第２読取部３２を待機位置に復帰させる。シートＳＨの片面を読み取る場合には、第２読取部３２のみによりシートＳＨの画像を読み取る。
【００９３】
＜作用効果＞
実施例の画像読取装置１では、図５及び図１１等に示すように、第１読取部３１と第２読取部３２とが上下方向に重ならないことにより、装置の上下方向の小型化を実現できる。それに加えて、この画像読取装置１では、図５及び図８〜図１１に示すように、第１位置決め機構３１０が設けられた第１読取部３１の第２側面３１Ｃは、下経路ＰＢ１の搬送方向において、第１側面３１Ｂよりも第２搬送ローラ４５から遠い位置にある。このため、第１位置決め機構３１０を構成する第１凸部３１１Ｔ、第２凸部３１２Ｔ、第１軸部３１１Ｓ及び第２軸部３１２Ｓも、第２搬送ローラ４５から遠い位置に配置される。また、第１凸部３１１Ｔ、第２凸部３１２Ｔ、第１軸部３１１Ｓ及び第２軸部３１２Ｓに対応する収容部１２９の当接面１２７、１２８及び位置決め凸部１２９Ｔも、第２搬送ローラ４５から遠い位置に配置される。その結果、図１１に示すように、第２搬送ローラ４５の外周面と、第１読取部３１の第１側面３１Ｂとの距離Ｌ１と短くできる。
【００９４】
つまり、この画像読取装置１では、第１読取部３１の第１位置決め機構３１０を下経路ＰＢ１の搬送方向において第２搬送ローラ４５とは反対側に設けたことで、第２搬送ローラ４５に対して第１読取部３１を近づけて配置することができ、下経路ＰＢ１を短くできる。
【００９５】
したがって、実施例の画像読取装置１では、上下方向と、下経路ＰＢ１が延びる左右方向とにおいて、装置の小型化を実現できる。
【００９６】
また、この画像読取装置１では、図１１に示すように、第１位置決め機構３１０は、第３プラテンガラス８３に直交する方向である矢視Ｚ方向から見て、第３プラテンガラス８３と重なる位置にある。これにより、この画像読取装置１では、第３プラテンガラス８３の周辺の空きスペースを利用して、第１位置決め機構３１０を配置できる。
【００９７】
さらに、この画像読取装置１では、図６及び図８等に示すように、第１読取部３１と第２読取部３２とは、第１側面３１Ｂと第３側面３２Ｂとが対応し、第２側面３１Ｃと第４側面３２Ｃとが対応し、第１位置決め機構３１０と第２位置決め機構３２０とが対応する同一形状である。このため、この画像読取装置１では、共通化された第１読取部３１及び第２読取部３２によって部品点数を削減でき、製造コストの低廉化を実現できる。
【００９８】
また、この画像読取装置１では、図５に示すように、静止読取位置に停止した第２読取部３２に対して第１読取部３１が傾斜した状態で、第１読取面３１Ａが第１傾斜部ＰＢ１１に対向するように配置される。これにより、下経路ＰＢ１が延びる左右方向における小型化を確実に実現できる。
【００９９】
さらに、この画像読取装置１では、図５に示すように、第１読取部３１は、上経路ＰＡ１と下経路ＰＢ１との間に配置され、静止読取位置に停止した第２読取部３２は、下経路ＰＢ１に対して下方に配置されている。そして、シート押さえ１４９は、図１１に示すように、第３プラテンガラス８３に直交する方向である矢視Ｚ方向から見て、第１位置決め機構３１０の第１凸部３１１Ｔ、第２凸部３１２Ｔ、第１軸部３１１Ｓ及び第２軸部３１２Ｓと重ならない位置にある。このため、この画像読取装置１では、第１傾斜部ＰＢ１１の下のスペースを利用して、シート押さえ１４９を配置し易い。
【０１００】
また、この画像読取装置１では、図４に示すように、下経路ＰＢ１は、静止読取位置に停止した第２読取部３２の上を通過して搬送方向の下流に向けて搬送されるシートＳＨを上り傾斜する方向に案内する第２傾斜部ＰＢ１２を含んでいる。つまり、この画像読取装置１では、第１傾斜部ＰＢ１１及び第２傾斜部ＰＢ１２により、下経路ＰＢ１全体として略Ｖ字形状に屈曲しており、その一部を規定する第１傾斜部ＰＢ１１に第１読取部３１が配置される。このような構成により、この画像読取装置１では、上下方向と、下経路ＰＢ１が延びる左右方向とにおいて、小型化を確実に実現できる。
【０１０１】
以上において、本発明を実施例に即して説明したが、本発明は上記実施例に制限されるものではなく、その趣旨を逸脱しない範囲で適宜変更して適用できることはいうまでもない。
【０１０２】
例えば、本発明には、第１読取部が下経路に対して下方に配置され、第２読取部が上経路と下経路との間に配置される構成も含まれる。また、第１読取部と第２読取部との両方が搬送経路Ｐ１に対向して固定される装置にも適用可能である。
【産業上の利用可能性】
【０１０３】
本発明は画像読取装置又は複合機等に利用可能である。
【符号の説明】
【０１０４】
１…画像読取装置、ＳＨ…シート、ＳＨ１…シートの一面、ＳＨ２…シートの他面
Ｐ１…搬送経路、ＰＣ１…湾曲路、ＰＡ１…上経路、ＰＢ１…下経路
１１０、１２０、１３０、１４０…ガイド部（１１０…第１シュート部材、１２０…第２シュート部材、１３０…第１カバー部材、１４０…第２カバー部材）
４…搬送部、４５…搬送ローラ（第２搬送ローラ）
３１…第１読取部、３２…第２読取部
３１Ａ…第１読取面、３１Ｂ…第１側面、３１Ｃ…第２側面
３１０…第１位置決め機構、８３…プラテンガラス（第３プラテンガラス）
３１１Ｔ…第１凸部、３１２Ｔ…第２凸部
Ｘ３１、Ｘ３２…位置決め軸心
３１１Ｓ…第１軸部、３１２Ｓ…第２軸部
８１Ａ…支持面、３９…キャリッジ、８…本体部、９…開閉部
３２Ａ…第２読取面、３２Ｂ…第３側面、３２Ｃ…第４側面
３２０…第２位置決め機構、１４９…シート押さえ
ＰＢ１１…第１傾斜部、ＰＢ１２…第２傾斜部
【図１】
0006488935.tif 000002
【図２】
0006488935.tif 000003
【図３】
0006488935.tif 000004
【図４】
0006488935.tif 000005
【図５】
0006488935.tif 000006
【図６】
0006488935.tif 000007
【図７】
0006488935.tif 000008
【図８】
0006488935.tif 000009
【図９】
0006488935.tif 000010
【図１０】
0006488935.tif 000011
【図１１】
0006488935.tif 000012